(57)【要約】【課題】天板の構成に応じた耐衝撃性を有するコンロの梱包部材、及びコンロを提供する。【解決手段】トップパッド４は、天板１５０の大きさに対応した大きさで略水平に延びる底板部４１を備えるトップトレー４０と、所定の厚みを有する平面視略矩形状のトップクッション５０とを備える。トップクッション５０の上板５１における上面５１Ａの面積は、底板部４１の上面４１Ａの面積よりも小さい。上板５１の上面５１Ａは、天板１５０の本体板部１５１の表面１５１Ａに当接し、天板１５０を下側から支持する。天板１５０の排気枠端部１５０Ｂは、トップトレー４０の前縁部４２に向けて延びた状態で、天板１５０の排気枠部１５５の略全体が底板部４１の上方に配置される。このため、排気枠部１５５の上面１５５Ａと、底板部４１の上面４１Ａとの間に、上下方向に所定の高さを有する空隙部４５０が設けられる。【選択図】図８
2018030594.tif 000002
【特許請求の範囲】
【請求項１】
筐体と、
矩形状の本体板部と、前記本体板部の後方に配置され、前記筐体に設置されるグリル庫に連通する開口を有する後板部とを備えた天板と
を有するコンロを梱包するコンロの梱包部材であって、
前記筐体の上側に載置され、前記コンロの付属品を収容する収容部が設けられた第一緩衝体と、
前記第一緩衝体に載置され、前記天板を下側から支持する第二緩衝体とを少なくとも備え、
前記第二緩衝体は、
前記天板に対応する大きさを有する底板部と、
前記底板部の上面に配置され、前記天板に下側から当接する当接面を有するパッド部とを備え、
前記パッド部の前記当接面は、前記底板部の前記上面に対して上方に所定の高さを有して設けられ、
前記当接面の大きさは、前記底板部の前記上面の大きさよりも小さく、
前記第二緩衝体に前記天板が支持された状態で、前記底板部の前記上面と前記天板の前記後板部を含む部分の下側面との間に、空隙部を形成することを特徴とするコンロの梱包部材。
【請求項２】
前記パッド部の一端部であるパッド第一端部は、前記底板部の一端部である底板第一端部に対応する位置に配置され、
前記パッド部における前記パッド第一端部に対向する側の他端部であるパッド第二端部は、前記底板部において、前記底板第一端部と、前記底板第一端部に対向する側の他端部である底板第二端部との間の位置に配置され、
前記第一緩衝体の前記収容部は、前記第一緩衝体の端部に設けられた箱状であり、
前記収容部は、前記第一緩衝体に前記第二緩衝体が載置された状態において、前記底板第二端部と同じ側の前記第一緩衝体の前記端部に設けられる第一側板と、前記第一側板に対向配置される第二側板とを備え、
前記第一緩衝体に前記第二緩衝体が載置された状態で、前記収容部の前記第二側板が、前記天板の前記本体板部と前記後板部との境界部分の下側を延びることを特徴とする請求項１に記載のコンロの梱包部材。
【請求項３】
前記第一緩衝体は、前記第二側板の延びる方向に交わる方向に延びる一対の壁部を備え、
前記一対の壁部の上端部は、前記第二側板の上端部と同じ高さで延びることを特徴とする請求項２に記載のコンロの梱包部材。
【請求項４】
前記パッド部は、
前記パッド第一端部において上方に突出する第一突出部と、
前記底板第一端部において上方に突出する第二突出部とを備え、
前記第二緩衝体に前記天板が支持された状態で、
前記第一突出部は、前記天板の一方の端部に当接し、
前記第二突出部は、前記天板の前記後板部における前記開口の内縁に当接するように設けられていることを特徴とする請求項２又は３に記載のコンロの梱包部材。
【請求項５】
前記天板の前記本体板部は、ガラス製であり、
前記天板の前記後板部は、金属製であり、
前記天板は、前記本体板部と前記後板部とが互いに固定されることで構成され、
前記第二緩衝体の前記パッド部における前記当接面は、前記本体板部の略全域に当接することを特徴とする請求項１から４のいずれかに記載のコンロの梱包部材。
【請求項６】
請求項１から５のいずれかに記載のコンロの梱包部材によって梱包されたコンロ。
【発明の詳細な説明】
【技術分野】
【０００１】
本発明は、コンロの梱包部材、及びコンロに関する。
【背景技術】
【０００２】
従来、コンロの出荷時等にコンロを梱包するための梱包部材が知られている。特許文献１に開示されたドロップインコンロの包装緩衝材は、段ボール製であり、外箱と、位置決め部材と、プレートパッドと、部品パッドとを主に備える。外箱は、その下部にドロップインコンロ本体を収容する。位置決め部材は、ドロップインコンロ本体の上方に載置される。プレートパッドは、位置決め部材の上面凹部に載置され、その天面にドロップインコンロのトッププレートを載置する。部品パッドは、プレートパッドの上方に載置され、五徳等の付属部品を収納する。このように、トッププレートがコンロ本体の上面に載置されて使用されるコンロの梱包においては、コンロ本体とトッププレートとが、同じ外箱に同梱されることがある。
【先行技術文献】
【特許文献】
【０００３】
【特許文献１】特開２０１３−１６９９８０号公報
【発明の概要】
【発明が解決しようとする課題】
【０００４】
トッププレートの形状及びトッププレートを構成する材質は様々である。例えば、トッププレートの一部に開口部が設けられることがある。また、例えば、トッププレートが、ガラス部材と金属部材等、複数の構成部材を備えることがある。コンロ本体とトッププレートとが同梱された外箱が輸送時等に落下すると、落下時の衝撃の影響が、外箱内に及ぶ。トッププレートが複数の構成部材を備える場合、特に、形状の変わり目や、構成部材同士の境目に衝撃の影響が大きく及ぶことがあり、衝撃の大きさによっては、構成部材同士の境目が破損しやすくなる可能性があるといった問題がある。
【０００５】
本発明はこのような問題点を解決するためになされたものであり、天板の構成に応じた耐衝撃性を有するコンロの梱包部材、及びコンロを提供することを目的とする。
【課題を解決するための手段】
【０００６】
本発明の請求項１に係るコンロの梱包部材は、筐体と、矩形状の本体板部と、前記本体板部の後方に配置され、前記筐体に設置されるグリル庫に連通する開口を有する後板部とを備えた天板とを有するコンロを梱包するコンロの梱包部材であって、前記筐体の上側に載置され、前記コンロの付属品を収容する収容部が設けられた第一緩衝体と、前記第一緩衝体に載置され、前記天板を下側から支持する第二緩衝体とを少なくとも備え、前記第二緩衝体は、前記天板に対応する大きさを有する底板部と、前記底板部の上面に配置され、前記天板に下側から当接する当接面を有するパッド部とを備え、前記パッド部の前記当接面は、前記底板部の前記上面に対して上方に所定の高さを有して設けられ、前記当接面の大きさは、前記底板部の前記上面の大きさよりも小さく、前記第二緩衝体に前記天板が支持された状態で、前記底板部の前記上面と前記天板の前記後板部を含む部分の下側面との間に、空隙部を形成することを特徴とする。
【０００７】
請求項２に係るコンロの梱包部材は、請求項１に記載の構成に加えて、前記パッド部の一端部であるパッド第一端部は、前記底板部の一端部である底板第一端部に対応する位置に配置され、前記パッド部における前記パッド第一端部に対向する側の他端部であるパッド第二端部は、前記底板部において、前記底板第一端部と、前記底板第一端部に対向する側の他端部である底板第二端部との間の位置に配置され、前記第一緩衝体の前記収容部は、前記第一緩衝体の端部に設けられた箱状であり、前記収容部は、前記第一緩衝体に前記第二緩衝体が載置された状態において、前記底板第二端部と同じ側の前記第一緩衝体の前記端部に設けられる第一側板と、前記第一側板に対向配置される第二側板とを備え、前記第一緩衝体に前記第二緩衝体が載置された状態で、前記収容部の前記第二側板が、前記天板の前記本体板部と前記後板部との境界部分の下側を延びることを特徴とする。
【０００８】
請求項３に係るコンロの梱包部材は、請求項２に記載の構成に加えて、前記第一緩衝体は、前記第二側板の延びる方向に交わる方向に延びる一対の壁部を備え、前記一対の壁部の上端部は、前記第二側板の上端部と同じ高さで延びることを特徴とする。
【０００９】
請求項４に係るコンロの梱包部材は、請求項２又は３に記載の構成に加えて、前記パッド部は、前記パッド第一端部において上方に突出する第一突出部と、前記底板第一端部において上方に突出する第二突出部とを備え、前記第二緩衝体に前記天板が支持された状態で、前記第一突出部は、前記天板の一方の端部に当接し、前記第二突出部は、前記天板の前記後板部における前記開口の内縁に当接するように設けられていることを特徴とする。
【００１０】
請求項５に係るコンロの梱包部材は、請求項１から４のいずれかに記載の構成に加えて、前記天板の前記本体板部は、ガラス製であり、前記天板の前記後板部は、金属製であり、前記天板は、前記本体板部と前記後板部とが互いに固定されることで構成され、前記第二緩衝体の前記パッド部における前記当接面は、前記本体板部の略全域に当接することを特徴とする。
【００１１】
請求項６に係るコンロは、請求項１から５のいずれかに記載のコンロの梱包部材によって梱包されたことを特徴とする。
【発明の効果】
【００１２】
請求項１に係るコンロの梱包部材は、第一緩衝体と第二緩衝体とを少なくとも備えるので、コンロの筐体及び天板が、第一緩衝体と第二緩衝体とによって保護される。コンロの梱包部材がコンロを梱包した状態で外部から衝撃を受けると、衝撃が、第一緩衝体を介して第二緩衝体に伝わることがある。第二緩衝体に伝わった衝撃は、第二緩衝体によって緩和されるが、天板の形状及び天板を構成する材質は様々である。天板が、本体板部と後板部とからなる場合には、後板部及び本体板部と後板部との境界部の強度と、本体板部との強度とが、均一でないことがある。特に、天板の後板部と本体板部とが異なる材料で構成されるような場合には、搬送時に受ける衝撃によって、後板部と本体板部との境界部分において折れ曲がる等の破損が、天板に生ずる可能性がある。第二緩衝体は、天板に対応する大きさを有する底板部を備えたトレー部と、底板部の上面に配置されたパッド部とを備えている。第二緩衝体に載置される天板に下側から当接するパッド部の当接面は、底板部の上面に対して上方に所定の高さを有している。また、当接面の大きさは、底板部の大きさよりも小さいので、コンロの梱包部材は、第二緩衝体に天板が支持された状態で、底板部の上面と天板の後板部を含む部分の下側面との間に、空隙部を形成できる。したがって、空隙部に対応する天板の後板部を含む部分の下側面には、パッド部の当接面が触れていないので、第二緩衝体に伝わった衝撃が、天板の後板部を含む部分の下側面に直接伝わることがない。このように、請求項１に係るコンロの梱包部材は、天板の構成に応じた耐衝撃性を有する。
【００１３】
請求項２に係るコンロの梱包部材は、請求項１に記載の発明の効果に加えて、パッド第一端部は、底板第一端部に対応する位置に配置され、パッド第二端部は、底板第一端部と底板第二端部との間の位置に配置される。すなわち、底板部よりも小さなパッド部が、底板部において底板第一端部側に詰めて配置される。第一緩衝体の備える収容部は、箱状であり、第一緩衝体に第二緩衝体が載置された状態において、第二緩衝体の底板部の第四端部と同じ側の端部に第一側板を、また、第一側板に対向配置される第二側板とを備える。そして、第一緩衝体に第二緩衝体が載置された状態において、第二側板が、天板の本体板部と後板部との境界部分の下側を延びるように構成されている。このようにして、天板の本体板部と後板部との境界部分が、第二側板によって下側から支えられるので、コンロの梱包部材の落下時等に、天板の重みが本体板部と後板部との境界部分に集中しても、底板部が下方に沈み込みにくくなる。したがって、請求項２に係るコンロの梱包部材は、天板及びコンロの破損を低減できる。
【００１４】
請求項３に係るコンロの梱包部材は、請求項２に記載の発明の効果に加えて、第一緩衝体が第二側板の延びる方向に交わる方向に延びる一対の壁部を備えるので、第二側板の延びる方向に交わる方向における第一緩衝体の強度が向上する。また、一対の壁部の上端部が、第二側板の上端部と同じ高さで延びるため、第一緩衝体に第二緩衝体が載置された状態において、第二緩衝体の底板部が、第二側板の上端部に加え、一対の壁部の上端部によっても支持される。したがって、天板の重みによって第二緩衝体が下方に沈み込むことが低減されるので、天板に対する耐衝撃性が向上される。
【００１５】
請求項４に係るコンロの梱包部材は、請求項２又は３に記載の発明の効果に加えて、パッド部が第一突出部と第二突出部とを備えている。第二緩衝体に天板が支持された状態で、第一突出部は、天板の一方の端部に当接し、第二突出部は、天板に設けられている後板部の内縁に当接するように設けられている。よって、第二緩衝体に天板が支持された状態において、天板がパッド部の上側において移動することが、第一突出部及び第二突出部によって規制されるので、天板が第二緩衝体によって安定して支持される。また、第二緩衝体に天板を支持させる際の位置決めが容易となる。
【００１６】
請求項５に係るコンロの梱包部材は、請求項１から４のいずれかに記載の発明の効果に加えて、パッド部の当接面が、ガラス製の本体板部と金属製の後板部とが互いに固定されることで構成されている天板の本体板部の略全域に当接するので、本体板部の破損が防止される。また、外部から衝撃が加えられても、後板部を含む部分の下側面には、空隙部が設けられるので、後板部及び本体板部と後板部とが互いに固定される部分に、衝撃が及びにくい。
【００１７】
請求項６に係るコンロは、請求項１から５のいずれかに記載のコンロの梱包部材によって梱包されることで、天板の構成に応じた耐衝撃性を有することができる。
【図面の簡単な説明】
【００１８】
【図１】外箱２に収容される梱包部材１及びコンロ１００の分解斜視図である。
【図２】天板１５０の平面図である。
【図３】付属品パッド３の斜視図である。
【図４】トップパッド４の分解斜視図である。
【図５】トップパッド４の斜視図である。
【図６】天板１５０が載置されたトップパッド４の斜視図である。
【図７】トップパッド４を下側から見た斜視図である。
【図８】梱包部材１及び天板１５０を左側から見た側面図である。
【図９】付属品パッド３とトップパッド４とが誤って配置された状態を説明する説明図である。
【発明を実施するための形態】
【００１９】
以下、本発明の実施形態である梱包部材１について、図面を参照して説明する。以下に記載されている装置の構造などは、特定的な記載がない限り、それのみに限定する趣旨ではなく、単なる説明例である。図面は、本発明が採用しうる技術的特徴を説明するために用いられるものである。以下説明は、図中に矢印で示す上下、左右、前後を使用する。
【００２０】
図１を参照して、コンロ１００の梱包部材１の概略構成を説明する。梱包部材１は、コンロ１００を梱包し、コンロ１００に対する外部からの衝撃を吸収する。梱包部材１によって梱包されたコンロ１００は、外箱２の内部に収容された状態で、搬送及び保管される。外箱２は、コンロ１００よりもひとまわり大きな、段ボール紙製の箱である。なお、コンロ１００は、ビルトインタイプのグリル付きガスコンロであるが、テーブルコンロ等であってもよい。
【００２１】
コンロ１００は、筐体１１０と天板１５０とを備える。筐体１１０は、コンロ１００の本体部を構成し、上面に開口部１１１を備えた略直方体状に形成された金属製である。筐体１１０の正面中央には、グリル扉１１２が設けられている。筐体１１０の内部には、グリル庫１１３を左右方向に挟む前部の位置に２つ、後部の略中央に１つの、合計３つのガスバーナ１１５が配置されている。後部側のガスバーナ１１５は、前部側のガスバーナ１１５，１１５よりも、ひとまわり小さく形成されている。
【００２２】
天板１５０は、平面視略矩形状に形成された板状であり、筐体１１０の開口部１１１の上部を覆うように設置されて用いられる。図１に示すように、コンロ１００は、筐体１１０と天板１５０とが分離された状態で、梱包部材１によって梱包される。天板１５０は、筐体１１０の開口部１１１の上部を覆うようにして設置されるときに開口部１１１と対向する側の面である裏面１５１Ｂを上側に向けた状態で梱包される。筐体１１０は、グリル扉１１２を前側に向けた状態で、外箱２の最下部に収容される。図示しないが、筐体１１０の周囲と外箱２内側との隙間には、発泡スチロール製等の緩衝材が、適宜挿入される。
【００２３】
梱包部材１は、付属品パッド３と、トップパッド４とを備える。付属品パッド３は、平面視略直方体状であり、段ボール紙を折り畳んで組み立てられた箱状パッドである。付属品パッド３は、外箱２に収容された筐体１１０の上側に載置され、筐体１１０の上部を保護する。付属品パッド３は、底板部３３、側壁部３３１，３３２、第一収容部３１、第二収容部３２を備える。底板部３３は、付属品パッド３の底面を構成する平面視略矩形状の板状部である。側壁部３３１，３３２は、底板部３３の左端部及び右端部が、底板部３３から上方に折り返されることで形成されている。第一収容部３１は、付属品パッド３の前端部に設けられ、左右方向に長手方向を有する箱状である。第二収容部３２は、付属品パッド３の後端部に設けられ、左右方向に長手方向を有する箱状である。
【００２４】
付属品パッド３は、コンロ１００の付属品を収容する。第一収容部３１には、第一収容部３１を左右に区分する仕切り３１１が設けられている。仕切り３１１の左側の空間部である第一スペース３１２には、天板１５０の後述する排気口１５６を覆う排気口カバーＦ１が収容される。仕切り３１１の右側の空間部である第二スペース３１３には、筐体１１０の正面の左右の端部に取り付けられるサイドモールＦ２が収容される。
【００２５】
第二収容部３２には、第二収容部３２を左右に区分する３つの仕切り３２１が設けられている。仕切り３２１によって第二収容部３２に設けられた複数の空間部のうち、最も左側の第三スペース３２２、第三スペース３２２の右側の第四スペース３２３、及び最も右側の第六スペース３２５に、ガスバーナ１１５の上部に載置されるバーナヘッドＦ３が収容される。第六スペース３２５の左側の第五スペース３２４には、コンロ１００の電源として用いられる乾電池Ｆ４が収容される。
【００２６】
また、底板部３３には、底板部３３の一部が切り抜かれるとともに底板部３３から上方に折り返されて形成された複数の折返し部３３４（図３参照）が設けられている。複数の折返し部３３４のそれぞれには、ガスバーナ１１５の上方に鍋等の被加熱物を載置するための五徳Ｆ５が嵌めこまれる。
【００２７】
付属品パッド３が筐体１１０の上側に載置された後に、トップパッド４が、付属品パッド３の上側に載置される。トップパッド４は、付属品パッド３と略同じ大きさの平面視略直方体状であり、段ボール紙を折り畳んで組み立てられたパッドである。トップパッド４の上側に、天板１５０が載置される。トップパッド４は、天板１５０に対する外部からの衝撃を緩衝する。
【００２８】
図２及び図６を参照して、天板１５０の構造について説明する。図２に示すように、天板１５０は、本体板部１５１、及び、排気枠部１５５を備える。本体板部１５１は、左右方向に長手方向を有する平面視略長方形状のガラス製の平板であり、天板１５０の本体部を構成する。本体板部１５１には、３つのバーナ開口１５２が設けられている。天板１５０が筐体１１０の開口部１１１の上部を覆うと、３つのガスバーナ１１５のそれぞれが筐体１１０側から上方に突出して、各バーナ開口１５２の中央に臨む。バーナ開口１５２の周縁部には、五徳Ｆ５（図１参照）を装着するための五徳装着部１５３が設けられている。五徳装着部１５３は、天板１５０の本体板部１５１に五徳Ｆ５を配置するために設けられている。五徳装着部１５３は、本体板部１５１の上面である表面１５１Ａから上方にやや厚みを有する平面視略円環状であり、ダイカストで形成されている。
【００２９】
排気枠部１５５は、筐体１１０の開口部１１１の上部に設置された天板１５０において、本体板部１５１の後方に配設される、左右方向に長手方向を有した金属製の板状の枠部材である。排気枠部１５５の上面１５５Ａの略中央には、上面１５５Ａを上下方向に貫通し、左右方向に長手方向を有する略長方形状の開口部である排気口１５６が設けられている。排気口１５６は、筐体１１０の開口部１１１の上部に天板１５０が設置されたときに、グリル庫１１３の内部と連通して、グリル庫１１３の内部の排気を行う。このような本体板部１５１の後端部と、排気枠部１５５の前端部とが接合されて、天板１５０が構成される。本体板部１５１の本体板端部１５０Ａとは反対側の端部は、排気枠部１５５における排気口１５６の本体板部１５１側の外縁部まで延びており（図６参照）、接合部１５０Ｃにおいて、本体板部１５１の表面１５１Ａと、排気枠部１５５の下面とが接合されている。なお、図６に示すように、天板１５０の裏面１５１Ｂには、本体板部１５１と、排気口１５６を除く排気枠部１５５とを一体に覆う板金１５９が設けられており、天板１５０の全体の強度が保たれている。排気枠部１５５の上面１５５Ａと、本体板部１５１の表面１５１Ａとは、略同じ高さで延設されている。
【００３０】
天板１５０の前後方向及び左右方向の各長さは、筐体１１０の開口部１１１の前後方向御呼び左右方向の各長さと略同一である。天板１５０は、本体板端部１５０Ａを筐体１１０の開口部１１１の前側の端部に、排気枠端部１５０Ｂを筐体１１０の開口部１１１の後側の端部に、それぞれ合わせた状態で、開口部１１１の上部に設置される。
【００３１】
このような天板１５０を補強するため、天板１５０の外周を取り囲むように金属枠が設けられることがあるが、本実施形態では、天板１５０の美観を向上するため、このような金属枠を設けていない。なお、天板１５０は、例えばホーロー加工された１枚の板金をプレス加工することで形成されてもよい。
【００３２】
図３を参照して、付属品パッド３の詳細構造について説明する。第一収容部３１は、第一側板３１６、第二側板３１７を備える。第一側板３１６は、第一収容部３１の前端側の側面を構成する板状部であり、底板部３３と同じ位置から上方に、底板部３３に対して略垂直に延びる。第二側板３１７は、第一収容部３１の後端側の側面を構成する板状部であり、第一側板３１６から長さＬ１だけ後方の位置において、第一側板３１６に対向して、底板部３３と同じ位置から底板部３３に対して略垂直に上方に延びる。第一側板３１６の上端部３１６Ａと、第二側板３１７の上端部３１７Ａとは、底板部３３に対して同じ高さである。
【００３３】
第二収容部３２は、第三側板３２６、第四側板３２７を備える。第三側板３２６は、第二収容部３２の後端側の側面を構成する板状部であり、底板部３３と同じ位置から上方に、底板部３３に対して略垂直に延びる。第四側板３２７は、第三側板３２６から長さＬ２だけ前方の位置において、第三側板３２６に対向して、第二収容部３２の前端側の側面を構成する板状部であり、底板部３３と同じ位置から底板部３３に対して略垂直に上方に延びる。長さＬ２は、長さＬ１よりも短い。すなわち、第二収容部３２は、第一収容部３１に比べて前後方向の長さが短い。第三側板３２６の上端部３２６Ａと、第四側板３２７の上端部３２７Ａとは、底板部３３に対して同じ高さである。
【００３４】
第三側板３２６の上端部３２６Ａ及び第四側板３２７の上端部３２７Ａは、第一側板３１６の上端部３１６Ａ及び第二側板３１７の上端部３１７Ａと、底板部３３の位置に対して同じ高さを有する。第一側板３１６、第二側板３１７、第三側板３２６、及び第四側板３２７は、付属品パッド３において、互いに平行に配置されて左右方向に延びる。これにより、付属品パッド３が前後方向に沿って折れ曲がるような変形が、付属品パッド３に生じにくくなる。なお、第一側板３１６、第二側板３１７、第三側板３２６、及び第四側板３２７は、左右方向において長さＫを有する。長さＫは、外箱２の左右の壁同士の間の長さに対応する。
【００３５】
側壁部３３１は、底板部３３の左端部において、第二側板３１７と第三側板３２６との間を、第二側板３１７と第三側板３２６に対して略直交するように、前後方向に延びる。側壁部３３２は、底板部３３の右端部において、第二側板３１７と第四側板３２７との間を、第二側板３１７と第三側板３２６に対して略直交するように、前後方向に延びる。側壁部３３１，３３２の前後方向の長さは、第二側板３１７と第四側板３２７との間の前後方向の長さＬ３と略同じである。側壁部３３１の上端部３３１Ａ、及び側壁部３３２の上端部３３２Ａは、第一側板３１６の上端部３１６Ａ及び第二側板３１７の上端部３１７Ａと同じ高さで前後方向に延びている。なお、長さＬ１，Ｌ２，Ｌ３を合計した長さは、外箱２の前後の壁同士の間の長さに対応する。よって、付属品パッド３が外箱２の内部において筐体１１０の上側に載置されたとき、付属品パッド３の周縁部が外箱２の周壁に内側から当接して位置決めされるので、輸送時等に、外箱２の内部における付属品パッド３の移動が防止される。
【００３６】
側壁部３３１は、第二側板３１７及び第四側板３２７の各左端部よりも底板部３３の中央部に寄った位置において前後方向に延びている。また、側壁部３３２は、第二側板３１７及び第四側板３２７の各右端部よりも底板部３３の中央部に寄った位置において前後方向に延びている。これにより、付属品パッド３が左右方向に沿って折れ曲がるような変形が、付属品パッド３に生じにくくなる。第二側板３１７の後面側、側壁部３３１の左面側、第四側板３２７の前面側のそれぞれによってコの字型に囲まれた間隙である凹部３３Ｐが形成されている。第二側板３１７の後面側、側壁部３３２の右面側、第四側板３２７の前面側のそれぞれによってコの字型に囲まれた間隙である凹部３３Ｑが形成されている。
【００３７】
底板部３３には、前述の複数の折返し部３３４の他、底板部３３を上下方向に貫通する３つの円孔３３５が設けられている。３つの円孔３３５は、コンロ１００の筐体１１０の上側に載置された付属品パッド３において、筐体１１０に設けられている３つのガスバーナ１１５と上下方向において同じ位置に設けられている。３つのガスバーナ１１５の上部は、筐体１１０の開口部１１１よりも上方まで延びているので、付属品パッド３が筐体１１０の上側に載置された状態で、３つのガスバーナ１１５の上部が３つの円孔３３５の内側に臨む。
【００３８】
図４から図７を参照して、トップパッド４の詳細構造について説明する。図４に示すように、トップパッド４は、トップトレー４０と、トップクッション５０とを備える。トップトレー４０及びトップクッション５０は、それぞれ、段ボール紙を折り曲げ、又は、折り畳んで組み立てられている。トップトレー４０は、トップパッド４の底部を構成する。トップトレー４０は、底板部４１、前縁部４２、後縁部４３を備える。
【００３９】
底板部４１は、天板１５０の大きさに対応した大きさで略水平に延びる、段ボール紙製の平面視略矩形状の板状部である。本実施形態では、底板部４１は天板１５０よりもひとまわり大きく、その上部に天板１５０の全体をちょうど収容可能である（図６参照）。底板部４１の左右方向の長さは、付属品パッド３の左右方向の長さと同じく、長さＫである。底板部４１の前後方向の長さは、長さＭ１である。長さＭ１は、前述の付属品パッド３の前後方向の長さである、長さＬ１，Ｌ２，Ｌ３を合計した長さと略同一である。前縁部４２及び後縁部４３は、底板部４１の前後の周縁を底板部４１から略垂直上方に折り返した部分である。前縁部４２及び後縁部４３は、トップパッド４が外箱２の内部において付属品パッド３の上側に載置されたときに、外箱２の前後の壁に内側から当接する。このとき、底板部４１の左右の端部が、外箱２の左右の壁に内側から当接する。このようにして、外箱２の内部においてトップトレー４０が位置決めされるので、輸送時等に、外箱２の内部におけるトップパッド４の移動が防止される。
【００４０】
底板部４１には、前固定部４４、後固定部４５、左固定部４６、右固定部４７、及び３つの円孔４８が設けられている。前固定部４４は、底板部４１の上面４１Ａのうち、前後左右方向における中央よりも前縁部４２寄りの位置の一部が左右方向に長さを有して切り抜かれるとともに、上面４１Ａから上方に折り返されて形成されている。後固定部４５は、上面４１Ａのうち、後縁部４３寄りの左右方向の略中央の一部が左右方向に長さを有して切り抜かれるとともに、上面４１Ａから上方に折り返されて形成されている。左固定部４６は、上面４１Ａの左端部の前後方向における略中央の一部が前後方向に長さを有して切り抜かれるとともに、上面４１Ａから上方に折り返されて形成されている。右固定部４７は、上面４１Ａの右端部の前後方向における略中央の一部が前後方向に長さを有して切り抜かれるとともに、上面４１Ａから上方に折り返されて形成されている。前固定部４４、後固定部４５、左固定部４６、右固定部４７のそれぞれは、トップクッション５０を底板部４１の上面４１Ａに対して固定するために設けられている。
【００４１】
３つの円孔４８は、底板部４１を上下方向に貫通し、付属品パッド３を介して筐体１１０の上側に載置されたトップパッド４において、筐体１１０に設けられている３つのガスバーナ１１５と上下方向において同じ位置に設けられている。３つの円孔４８は、付属品パッド３及びトップパッド４が筐体１１０の上側に載置された状態で、３つのガスバーナ１１５の上部をその内側に臨ませる。
【００４２】
トップクッション５０は、矩形の段ボール紙の前端部及び後端部が所定の厚みを有するように折り曲げられて形成された、平面視略矩形状の緩衝用の部材である。トップクッション５０は、トップトレー４０の底板部４１の上面４１Ａに対して固定される。トップクッション５０は、上板５１、第一筒状部５２、第二筒状部５３、前当接部５４１、後当接部５５１、左当接部５６１、右当接部５７１を備える。
【００４３】
上板５１は、トップクッション５０の上面を構成する平面視略矩形状の板状部である。上板５１は、裏面１５１Ｂを上側に向けた状態でトップパッド４に載置される天板１５０の本体板部１５１を、下側から支持する。上板５１には、前部略中央に１つ、後部の左右に２つ配置され、上板５１を上下方向に貫通する合計３つの円孔５８を備える。３つの円孔５８は、表面１５１Ａを下側にした天板１５０の本体板部１５１が、上板５１の上面５１Ａに載置された状態で、本体板部１５１に設けられている五徳装着部１５３を下方に突出させる。これにより、本体板部１５１の表面１５１Ａの全体が、上板５１の上面５１Ａにぴったりと当接し、外箱２の内部において、天板１５０が略水平に保たれる。また、梱包部材１に対して外部から与えられた衝撃は、トップクッション５０によって緩衝されるので、本体板部１５１の破損が防止される。なお、上面５１Ａの平面視での大きさは、天板１５０の本体板部１５１の平面視での大きさに対応している。
【００４４】
第一筒状部５２は、上板５１の前端部の下面において左右方向に延びる、側面視略矩形の中空の筒状である。第二筒状部５３は、上板５１の後端部の下面において左右方向に延びる、側面視略矩形の中空の筒状である。第一筒状部５２及び第二筒状部５３は、上下方向に厚さＤを有する。第一筒状部５２及び第二筒状部５３は、トップクッション５０に対して上下方向に加わる衝撃を緩衝する。
【００４５】
前当接部５４１は、トップクッション５０の前端部５４の略中央において前端部５４からやや前方に突出する一対の爪部５４２に挟まれた部分である。後当接部５５１は、トップクッション５０の後端部５５の略中央において後端部５５からやや後方に突出する一対の爪部５５２に挟まれた部分である。後当接部５５１は、トップクッション５０の左端部略中央において左端部からやや左方に突出する一対の爪部５６２に挟まれた部分である。右当接部５７１は、トップクッション５０の右端部略中央において右端部からやや右方に突出する一対の爪部５７２に挟まれた部分である。トップクッション５０の前端部５４から後端部５５までの前後方向の長さは、長さＭ２である。この長さＭ２は、底板部４１の前後方向の長さＭ１よりも短い。トップクッション５０の左端部から右端部までの左右方向の長さは、長さＭ３である。この長さＭ３は、底板部４１の左右方向の長さＫよりも僅かに短い。したがって、トップクッション５０の上板５１が形成する矩形の面積は、底板部４１の上面が形成する矩形の面積よりも小さい。
【００４６】
図５に示すように、トップクッション５０は、一対の爪部５５２の後端がトップトレー４０の後縁部４３に当接する位置まで後端部５５を後縁部４３に寄せた状態で（図８参照）、底板部４１の上側に配置される。このとき、第一筒状部５２及び第二筒状部５３の下面が、トップトレー４０の底板部４１の上面４１Ａの上側に当接された状態で、トップクッション５０が底板部４１に載置される。トップクッション５０の前端部５４は、トップトレー４０の前縁部４２と後端部５５との間の位置に配置される。このようにトップクッション５０がトップトレー４０の底板部４１に載置されたとき、前固定部４４、後固定部４５、左固定部４６、右固定部４７が、前当接部５４１、後当接部５５１、左当接部５６１、右当接部５７１にそれぞれ当接する。前当接部５４１、後当接部５５１、左当接部５６１、右当接部５７１にそれぞれ当接した前固定部４４、後固定部４５、左固定部４６、右固定部４７は、一対の爪部５４２，５５２，５６２，５７２のそれぞれに挟持される。
【００４７】
このようにトップトレー４０とトップクッション５０とが組み合わされたトップパッド４の上側に天板１５０が載置されるとき、図６に示すように、天板１５０の本体板部１５１の全体と、排気枠部１５５の一部とが、トップクッション５０の上側に載置される。前固定部４４、後固定部４５、左固定部４６、右固定部４７の各上端部は、天板１５０の裏面１５１Ｂよりも上方に位置する。後固定部４５の上端部は、後方から天板１５０の本体板端部１５０Ａに当接する。左固定部４６、右固定部４７の各上端部は、左方及び右方から本体板部１５１の左右の端部に当接する。前固定部４４の上端部は、排気枠部１５５における排気口１５６の本体板部１５１側の内縁部に、前方から当接する。このため、輸送時等に、トップパッド４に載置された天板１５０の前後方向及び左右方向の移動が防止される。また、コンロ１００の梱包作業を行う作業者は、天板１５０の本体板端部１５０Ａが後固定部４５に、天板１５０の左右の端部が左固定部４６及び右固定部４７に、排気口１５６の本体板部１５１側の内縁部が前固定部４４にそれぞれ当接するように、トップパッド４の上側に天板１５０を載置すればよい。したがって、トップパッド４に対する天板１５０の位置決めが容易になる。
【００４８】
このように位置決めされた天板１５０は、底板部４１の上面４１Ａに対して、表面１５１Ａを下側に向けた状態で、トップクッション５０によって下側から支持される。このとき、排気枠端部１５０Ｂがトップトレー４０の前縁部４２に向けて延びた状態で、天板１５０の排気枠部１５５の略全体が底板部４１の上方に配置される。このため、排気枠部１５５の上面１５５Ａと、底板部４１の上面４１Ａとの間に、第一筒状部５２及び第二筒状部５３の厚さＤに相当する上下方向の高さを有する空隙部４５０が設けられる。
【００４９】
図７に示すように、底板部４１の下面４１Ｂ側には、前縁部４２及び後縁部４３に隣接する辺である底板部４１の左右の端部に沿って、第一突出部４１０及び第二突出部４２０が設けられている。第一突出部４１０は、底板部４１の左端部の下面４１Ｂ側において、前後方向に所定の長さを有して延び、且つ、下面４１Ｂから下方に突出する三角柱状である。第一突出部４１０は、底板部４１の左端部の一部が、底板部４１の下面４１Ｂに向けて山状に折り曲げられて形成されている。第二突出部４２０は、底板部４１の右端部の下面４１Ｂ側において、前後方向に所定の長さを有して延び、且つ、下面４１Ｂから下方に突出する三角柱状である。第二突出部４２０は、底板部４１の右端部の一部が、底板部４１の下面４１Ｂに向けて山状に折り曲げられて形成されている。
【００５０】
第一突出部４１０及び第二突出部４２０の前後方向の長さは、付属品パッド３の凹部３３Ｐ，３３Ｑの前後方向の長さと同じく、長さＬ３である。第一突出部４１０及び第二突出部４２０の後端は、底板部４１の後端である後縁部４３から前方に、前述の付属品パッド３の第二収容部３２の第三側板３２６と第四側板３２７との間と同じ長さＬ２だけ離隔した位置に配置されている。第一突出部４１０及び第二突出部４２０の前端は、底板部４１の前端である前縁部４２から後方に、前述の付属品パッド３の第一収容部３１の第一側板３１６と第二側板３１７との間と同じ長さＬ１だけ離隔した位置に配置されている。すなわち、第一突出部４１０及び第二突出部４２０は、前縁部４２よりも後縁部４３に寄せて配置されており、前縁部４２と後縁部４３との前後方向における中間の位置において延びる仮想直線Ｇに対して非対称に形成されている。
【００５１】
図８を参照して、付属品パッド３の第一側板３１６と、トップパッド４の前縁部４２とが、上下方向において同じ位置に配置された状態の梱包部材１及び天板１５０の詳細構成について説明する。付属品パッド３の上側にトップパッド４が載置されると、第二側板３１７の凹部３３Ｐと第一突出部４１０とが、付属品パッド３にトップパッド４が載置された状態で上下方向において同じ位置に配置される。図示しないが、このとき、凹部３３Ｑと第二突出部４２０とも、上下方向において同じ位置に配置される。したがって、第一突出部４１０が、凹部３３Ｐに対して上側から嵌合する。図示しないが、このとき、第二突出部４２０も、凹部３３Ｑに対して上側から嵌合する。このように、付属品パッド３にトップパッド４が載置されると、凹部３３Ｐ，３３Ｑに対して第一突出部４１０及び第二突出部４２０がちょうど収まる。これにより、付属品パッド３にトップパッド４が載置された状態が安定する。
【００５２】
付属品パッド３の第一側板３１６の上端部３１６Ａ、第二側板３１７の上端部３１７Ａ、第三側板３２６の上端部３２６Ａ、第四側板３２７の上端部３２７Ａ、側壁部３３１の上端部３３１Ａ（図３参照）、及び側壁部３３２の上端部３３２Ａ（図３参照）は、底板部３３に対して同じ高さに並ぶ。この上側にトップパッド４の底板部４１が載置されるので、底板部４１の上面４１Ａが略水平に保たれる。よって、トップクッション５０の上板５１の上面５１Ａも、底板部４１の上面４１Ａから上方に厚さＤ（図４、図５、図６参照）に相当する上下方向の高さを有して略水平に延びる。第一側板３１６、第二側板３１７、第三側板３２６及び第四側板３２７は左右方向に延び、側壁部３３１，３３２は前後方向に延びているので、トップパッド４の底板部４１が前後左右方向に亘って同じ高さで支持される。このため、トップパッド４の上側に天板１５０が載置され、また、梱包部材１に対して衝撃が加わることで、トップパッド４に天板１５０の重みが加えられても、トップパッド４の底板部４１が撓みにくい。
【００５３】
このように組み合わされた梱包部材１の上側に、天板１５０が載置される。天板１５０は、トップパッド４におけるトップクッション５０の上板５１の上面５１Ａに、本体板部１５１の表面１５１Ａが当接するように載置され、排気枠部１５５の上面１５５Ａと、底板部４１の上面４１Ａとの間には、空隙部４５０が設けられる。本実施形態における天板１５０は、ガラス製の本体板部１５１と、金属製の排気枠部１５５とが接合された構成である。例えば、天板１５０全体に対して衝撃等が加えられた場合、異なる素材同士の接合部１５０Ｃに、衝撃による影響が特に集中することがある。天板１５０の接合部１５０Ｃにおける強度が、天板１５０の他の部分における強度よりも低いことがある。本実施形態では、排気枠部１５５の上面１５５Ａの略全体が、トップクッション５０の上板５１の上面５１Ａに当接していない。よって、梱包部材１によって梱包されたコンロ１００が、外箱２ごと落下するような衝撃が与えられても、衝撃の影響がトップクッション５０を介して排気枠部１５５に直接に伝達し難い。このため、本体板部１５１と排気枠部１５５との接合部１５０Ｃに加わる衝撃による影響が低減され、接合部１５０Ｃにおける変形等の不具合が低減される。
【００５４】
また、接合部１５０Ｃに加わる衝撃による影響をさらに低減するため、第一収容部３１の第二側板３１７が、トップパッド４に載置された天板１５０における接合部１５０Ｃの下側を延びるように配置されている。これにより、天板１５０の接合部１５０Ｃ及びその近傍に対応する部分のトップトレー４０の底板部４１が、第一収容部３１の第二側板３１７によって下側から支持される。よって、梱包部材１に落下による衝撃等が加えられても、トップトレー４０の底板部４１の天板１５０の接合部１５０Ｃ及びその近傍に対応する部分が、付属品パッド３の側に向けて沈み込みにくくなり、接合部１５０Ｃが変形するような不具合が防止される。
【００５５】
図９を参照して、付属品パッド３とトップパッド４とが、正しい配置で組み合わされない場合について説明する。前述したように、付属品パッド３の第一側板３１６とトップパッド４の前縁部４２とを上下方向において同じ位置に配置するのが、付属品パッド３とトップパッド４との正しい配置である。付属品パッド３とトップパッド４との平面視における前後左右方向の大きさは、互いに同じである。よって、付属品パッド３とトップパッド４との正しい配置に反して、付属品パッド３とトップパッド４とのいずれかの前後方向が入れ替えられた誤った配置がされる可能性がある。付属品パッド３とトップパッド４とが誤って配置されると、第一収容部３１の第二側板３１７が、トップトレー４０に載置された天板１５０の接合部１５０Ｃ及びその近傍に対応する部分の下側とは異なる位置において延びるようになる等により、梱包部材１の本来の耐衝撃性に影響が生ずることがある。
【００５６】
図９に示すように、付属品パッド３の第一側板３１６とトップパッド４の後縁部４３とを、上下方向において同じ位置に配置したとする。この状態で付属品パッド３の上側にトップパッド４を載置しようとすると、第二突出部４２０の下端のうち後縁部４３寄りの部分が、第二側板３１７の上端部３１７Ａの上側に乗り上げる。付属品パッド３の前端部とトップパッド４の後端部とを上下方向において同じ位置に配置した場合には、凹部３３Ｐと第二突出部４２０とが上下方向において同じ位置に配置されず、凹部３３Ｐに第二突出部４２０が嵌合できないためである。図示しないが、この場合、第一突出部４１０の下端のうち後縁部４３寄りの部分も、第二側板３１７の上端部３１７Ａの上側に乗り上げ、凹部３３Ｑに第一突出部４１０が嵌合できない。梱包部材１では、第一突出部４１０及び第二突出部４２０が、図７に示す仮想直線Ｇ（図７参照）に対して非対称に配置されている。また、付属品パッド３とトップパッド４とが正しい配置で組み合わされた場合における第一突出部４１０及び第二突出部４２０と上下方向において同じ位置に、凹部３３Ｐ，３３Ｑが設けられている。よって、付属品パッド３とトップパッド４との前後方向の関係が反対になる場合には、第一突出部４１０と第二突出部４２０とが、凹部３３Ｐ，３３Ｑに嵌合しない。
【００５７】
第一突出部４１０と第二突出部４２０とが、凹部３３Ｐ，３３Ｑに嵌合しない場合には、トップパッド４の底板部４１が、付属品パッド３の上端部３１６Ａ，３１７Ａ，３２６Ａ，３２７Ａ，３３１Ａ，３３２Ａに対して傾斜して配置される。一方、付属品パッド３とトップパッド４とが正しく配置される場合には、第一突出部４１０と第二突出部４２０とが、凹部３３Ｐ，３３Ｑに嵌合する。よって、トップパッド４の底板部４１が、付属品パッド３の上端部３１６Ａ，３１７Ａ，３２６Ａ，３２７Ａ，３３１Ａ，３３２Ａに沿って略水平に配置される（図８参照）。したがって、コンロ１００の梱包作業を行う作業者は、付属品パッド３にトップパッド４が正しい配置で載置されているか否かを、トップパッド４の底板部４１が略水平に配置されているか傾斜しているかに応じて、目視により判別できる。このようにして付属品パッド３とトップパッド４とが正しく配置されるように促されるので、梱包部材１の耐衝撃性が担保される。
【００５８】
以上説明したように、梱包部材１において、付属品パッド３は、外箱２に収容されたコンロ１００の筐体１１０の上側に載置される。トップパッド４は、付属品パッド３の上側に載置され、付属品パッド３の上側には、コンロ１００の天板１５０が載置される。梱包部材１によって梱包されたコンロ１００が外部から衝撃を受けると、梱包部材１に伝達した衝撃の一部が、トップパッド４に伝わる。トップパッド４は、伝わった衝撃を吸収して緩和するが、天板１５０の形状及び天板１５０を構成する素材は様々である。本実施形態では、ガラス製の本体板部１５１と、金属製の排気枠部１５５とが接合部１５０Ｃにおいて接合された構成となっている。このため、搬送時に天板１５０に伝わる衝撃によっては、接合部１５０Ｃ及びその近傍において天板１５０が折れ曲がる等の破損が、天板１５０に生ずる可能性がある。また、天板１５０がホーロー加工された１枚の板金をプレス加工することで形成されている場合には、排気口１５６近傍の板金が細くなる。このため、搬送時に天板１５０に伝わる衝撃によっては、排気口１５６の近傍において天板１５０が折れ曲がる等の破損が、天板１５０に生ずる可能性がある。トップパッド４は、天板１５０の大きさに対応した大きさで略水平に延びる底板部４１を備えるトップトレー４０と、厚さＤを有する平面視略矩形状の緩衝用の部材であるトップクッション５０とを備える。トップクッション５０の上板５１が形成する矩形の面積は、底板部４１の上面４１Ａが形成する矩形の面積よりも小さい。トップクッション５０の上板５１が形成する矩形の面積は、天板１５０の本体板部１５１の全体の大きさに対応している。上板５１の上面５１Ａは、天板１５０の本体板部１５１の表面１５１Ａに当接し、天板１５０を下側から支持する。このとき、天板１５０の排気枠端部１５０Ｂは、トップトレー４０の前縁部４２に向けて延びた状態で、天板１５０の排気枠部１５５の略全体が底板部４１の上方に配置される。このため、排気枠部１５５の上面１５５Ａと、底板部４１の上面４１Ａとの間に、厚さＤに相当する上下方向の高さを有する空隙部４５０が設けられる。空隙部４５０の上側に配置される排気枠部１５５の上面１５５Ａには、トップクッション５０の上板５１が触れていないので、トップトレー４０に伝達された衝撃は、トップクッション５０を介して排気枠部１５５の上面１５５Ａに直接伝達しない。このようにして、梱包部材１は、天板１５０の構成に応じた耐衝撃性を提供できる。また、梱包部材１によって梱包されたコンロ１００の耐衝撃性が向上される。
【００５９】
トップクッション５０の後端部５５は、一対の爪部５５２の後端がトップトレー４０の後縁部４３に当接する位置まで後端部５５を後縁部４３に寄せた状態で、底板部４１の上側に配置される。トップクッション５０の前端部５４は、トップトレー４０の前縁部４２と後端部５５との間の位置に配置される。すなわち、平面視で底板部４１よりも小さなトップクッション５０が、底板部４１において後縁部４３側に詰めて配置される。第一収容部３１は、付属品パッド３の前端部を左右方向に延びる箱状である。第一側板３１６は、第一収容部３１の前端側の側面を構成する板状部であり、底板部３３と同じ位置から上方に、底板部３３に対して略垂直に延びる。第二側板３１７は、第一収容部３１の後端側の側面を構成する板状部であり、第一側板３１６から長さＬ１だけ後方の位置において、底板部３３と同じ位置から上方に、底板部３３に対して略垂直に延びる。付属品パッド３にトップパッド４が正しい配置で載置される場合、第二側板３１７は、トップパッド４に載置された天板１５０における接合部１５０Ｃの下側を延びるように配置される。この場合、天板１５０の接合部１５０Ｃ及びその近傍に対応する部分のトップトレー４０の底板部４１が、第一収容部の第二側板３１７によって下側から支持される。よって、梱包部材１に落下による衝撃等が加えられても、トップトレー４０の底板部４１の天板１５０の接合部１５０Ｃ及びその近傍に対応する部分が、付属品パッド３の側に向けて沈み込みにくくなり、接合部１５０Ｃにおいて天板１５０が変形するような不具合が防止される。
【００６０】
付属品パッド３において、側壁部３３１，３３２は、底板部３３の左右の端部において、第二側板３１７と第三側板３２６との間を、第二側板３１７と第三側板３２６に対して略直交するように、前後方向に延びる。底板部３３において左右方向に延びる第一側板３１６、第二側板３１７、第三側板３２６及び第四側板３２７に加えて、前後方向に延びる側壁部３３１，３３２が設けられることによって、トップパッド４の底板部４１が撓みにくくなる。また、側壁部３３１の上端部３３１Ａ、及び側壁部３３２の上端部３３２Ａは、第一側板３１６の上端部３１６Ａ及び第二側板３１７の上端部３１７Ａと同じ高さで前後方向に延びている。この上側にトップパッド４の底板部４１が載置されるので、トップパッド４の底板部４１が前後左右方向に亘って同じ高さで支持される。したがって、トップパッド４に天板１５０の重みが加えられても、トップパッド４の底板部４１が沈み込みにくくなる。
【００６１】
トップパッド４の底板部４１には、前固定部４４及び後固定部４５が設けられている。前固定部４４は、底板部４１の上面４１Ａのうち、前後左右方向における中央よりも前縁部４２寄りの位置の一部が左右方向に長さを有して切り抜かれるとともに、上面４１Ａから上方に折り返されて形成されている。後固定部４５は、上面４１Ａのうち、後縁部４３寄りの左右方向の略中央の一部が左右方向に長さを有して切り抜かれるとともに、上面４１Ａから上方に折り返されて形成されている。前固定部４４及び後固定部４５は、トップクッション５０を底板部４１の上面４１Ａに対して固定する。トップパッド４の上側に天板１５０が表面１５１Ａを下側に向けて載置されるとき、天板１５０の本体板部１５１の全体と、排気枠部１５５の一部とが、トップクッション５０の上側に載置される。このとき、前固定部４４及び後固定部４５各上端部は、天板１５０の裏面１５１Ｂよりも上方に位置する。後固定部４５の上端部は、後方から天板１５０の本体板端部１５０Ａに当接する。前固定部４４の上端部は、排気枠部１５５における排気口１５６の本体板部１５１側の内縁部に、前方から当接する。このため、輸送時等に、外箱２の内部におけるトップパッド４に天板１５０の前後方向の移動が防止される。また、作業者は、天板１５０の本体板端部１５０Ａが後固定部４５に、排気口１５６の本体板部１５１側の内縁部が前固定部４４にそれぞれ当接するように、トップパッド４の上側に天板１５０を載置すればよい。したがって、トップパッド４に対する天板１５０の位置決めが容易になる。
【００６２】
トップクッション５０の上板５１の上面５１Ａは、底板部４１の上面４１Ａから上方に、第一筒状部５２及び第二筒状部５３の上下方向の厚さＤに相当する上下方向の高さを有して略水平に延びる。上面５１Ａは、トップパッド４に載置される天板１５０の本体板部１５１の表面１５１Ａに当接し、天板１５０を下側から支持する。上面５１Ａの平面視での大きさは、天板１５０の本体板部１５１の平面視での大きさに対応している。梱包部材１に対して外部から与えられた衝撃は、トップクッション５０によって緩衝されるので、本体板部１５１の破損が防止される。また、排気枠部１５５の上面１５５Ａの略全体は、トップクッション５０の上板５１の上面５１Ａに当接していない。よって、例えば、梱包部材１に衝撃が与えられても、衝撃の影響がトップクッション５０を介して排気枠部１５５に伝達し難い。このため、本体板部１５１と排気枠部１５５との接合部１５０Ｃに加わる衝撃による影響が低減され、接合部１５０Ｃにおける変形等の不具合が低減される。
【００６３】
本実施形態において、コンロ１００が、本発明の「コンロ」に相当する。筐体１１０が、本発明の「筐体」に相当する。天板１５０が、本発明の「天板」に相当する。本体板部１５１が、本発明の「本体板部」に相当する。排気枠部１５５が、本発明の「後板部」に相当する。排気口１５６が、本発明の「開口」に相当する。接合部１５０Ｃが、本発明の「境界部分」に相当する。梱包部材１が、本発明の「梱包部材」に相当する。
【００６４】
付属品パッド３が、本発明の「第一緩衝体」に相当する。第一収容部３１が、本発明の「収容部」に相当する。第一側板３１６が、本発明の「第一側板」に相当する。第二側板３１７が、本発明の「第二側板」に相当する。後縁部４３が、本発明の「底板第一端部」に相当する。前縁部４２が、本発明の「底板第二端部」に相当する。側壁部３３１，３３２が、本発明の「壁部」に相当する。トップパッド４が、本発明の「第二緩衝体」に相当する。底板部４１が、本発明の「底板部」に相当する。トップクッション５０が、本発明の「パッド部」に相当する。本発明の「当接面」に相当する。本発明の「空隙部」に相当する。後端部５５が、本発明の「パッド第一端部」に相当する。前端部５４が、本発明の「パッド第二端部」に相当する。後固定部４５が、本発明の「第一突出部」に相当する。前固定部４４が、本発明の「第二突出部」に相当する。
【００６５】
なお、本発明は上記実施形態に限定されるものではなく、種々の変更が可能である。例えば、天板１５０において、本体板部１５１と排気枠部１５５との接合には、接着、圧着、溶着等の公知の手法を採用してよい。また、接着、圧着、溶着等によらず、本体板部１５１に排気枠部１５５を締め付けること等によって、本体板部１５１と排気枠部１５５とが固定されていてもよい。すなわち、接合部１５０Ｃは、本体板部１５１に排気枠部１５５との境界部分である。境界部分には、本体板部１５１と排気枠部１５５とが重なり合うなど、本体板部１５１と排気枠部１５５との双方が存在する部分が含まれる。梱包部材１の耐衝撃性を向上するためには、このような境界部分の下側に、第一収容部３１の第二側板３１７が配置されることが好ましい。
【００６６】
上記実施形態では、天板１５０は、表面１５１Ａを下側に、裏面１５１Ｂを上側にした状態で、トップパッド４の上側に載置されるが、天板１５０が表面１５１Ａを上側に、裏面１５１Ｂを下側にした状態で載置されるように梱包部材１が構成されていてもよい。
【００６７】
トップクッション５０の後端部５５に一対の爪部５５２が設けられず、後端部５５がトップトレー４０の後縁部４３に当接するように配置されていてもよい。また、トップクッション５０の後端部５５に一対の爪部５４２が設けられていなくてもよい。
【００６８】
前固定部４４、後固定部４５、左固定部４６及び右固定部４７が、トップクッション５０の上板５１の上面５１Ａの前後左右の端部が所定の形状で切り抜かれ、切り抜かれた部分が上面５１Ａ上方に折り返されて形成されてもよい。
【００６９】
梱包部材１は、段ボール紙を折り畳んで形成されるので、上記実施形態における長さＫ，Ｌ１，Ｌ２，Ｌ３，Ｍ１，Ｍ２，Ｍ３は、いずれも紙厚等による誤差を含んだ長さである。また、凹部３３Ｐ，３３Ｑに対して第一突出部４１０及び第二突出部４２０が嵌合しやすくなるように、第一突出部４１０及び第二突出部４２０の前後方向の長さが、凹部３３Ｐ，３３Ｑの前後方向の長さに対して若干短くされてもよい。よって、長さＫ，Ｌ１，Ｌ２，Ｌ３，Ｍ１，Ｍ２，Ｍ３は、数ミリメートル〜１センチメートル程度の幅を有する値であってもよい。なお、梱包部材１の一部又は全部が、段ボール紙以外の紙系材料で構成されていてもよい。
【符号の説明】
【００７０】
１    梱包部材
３    付属品パッド
４    トップパッド
３１    第一収容部
４１    底板部
４２    前縁部
４３    後縁部
４４    前固定部
４５    後固定部
４０    トップトレー
５０    トップクッション
５４    前端部
５５    後端部
１００    コンロ
１１０    筐体
１５０    天板
１５１    本体板部
１５５    排気枠部
１５６    排気口
１５０Ｃ    接合部
３１６    第一側板
３１７    第二側板
３３１，３３２    壁部
【図１】
2018030594.tif 000003
【図２】
2018030594.tif 000004
【図３】
2018030594.tif 000005
【図４】
2018030594.tif 000006
【図５】
2018030594.tif 000007
【図６】
2018030594.tif 000008
【図７】
2018030594.tif 000009
【図８】
2018030594.tif 000010
【図９】
2018030594.tif 000011